(57)【要約】【課題】非使用時の放熱ロスを抑制した暖房便座に関して、使用者の背中との干渉を低減した放熱を抑制する手段を備える暖房便座装置を提供することにある。【解決手段】発熱体２２を有する便座２０と、回転自在に開閉する便蓋３０と、便蓋３０が閉じた状態で便座２０と便蓋３０の間に介在する可動部１０と、を備える。可動部１０は、便蓋３０を閉じた状態で便蓋３０から離れ、便座２０に接近する位置に移動可能であり、便蓋３０を開いた状態で便蓋３０に接近する位置に移動可能である。【選択図】図１
2017060663.tif 000002
【特許請求の範囲】
【請求項１】
発熱体を有する便座と、
回転自在に開閉する便蓋と、
前記便蓋が閉じた状態で前記便座と前記便蓋の間に介在する可動部と、
を備え、
前記可動部は、
前記便蓋を閉じた状態で前記便蓋から離れ、前記便座に接近する位置に移動可能であり、
前記便蓋を開いた状態で前記便蓋に接近する位置に移動可能であることを特徴とする暖房便座装置。
【請求項２】
前記可動部は、
前記便蓋を閉じるときに前記便蓋から離れるように移動して前記便座に接近し、
前記便蓋を開くときに前記便蓋に接近するように移動することを特徴とする請求項１に記載の暖房便座装置。
【請求項３】
前記可動部は、前記可動部が受ける重力によって移動することを特徴とする請求項１または２に記載の暖房便座装置。
【請求項４】
前記便蓋には、動力を発生する動力機構が設けられ、
前記可動部は、スライド機構と蛇腹機構とダイヤフラム機構の少なくとも一つを有する支持機構によって支持され、前記動力機構の動力によって移動することを特徴とする請求項１から３のいずれかに記載の暖房便座装置。
【請求項５】
前記可動部は、変形可能に形成される表面部を含み、
前記便蓋には、前記表面部を前記便蓋から押し出すように変形させるための変形機構が設けられることを特徴とする請求項１から４のいずれかに記載の暖房便座装置。
【請求項６】
前記表面部は、伸縮性を有するシート状の素材から形成されることを特徴とする請求項５に記載の暖房便座装置。
【請求項７】
前記表面部は、取り外し可能に前記便蓋に取り付けられることを特徴とする請求項５または６のいずれかに記載の暖房便座装置。
【請求項８】
前記変形機構は、前記表面部を押し出すための複数の押出部材を含むことを特徴とする請求項５から７のいずれかに記載の暖房便座装置。
【請求項９】
前記変形機構は、第１の押出部材と、前記第１の押出部材の動作と連動するように結合される第２の押出部材と、を含むことを特徴とする請求項８に記載の暖房便座装置。
【発明の詳細な説明】
【技術分野】
【０００１】
本発明は、便座の非使用時の放熱ロスを抑制した暖房便座装置に関する。
【背景技術】
【０００２】
従来から、内部に発熱体を有する便座と、ヒンジで連結された便蓋とを具備した便器が知られている。このような便器には非使用時の消費電力の抑制が求められている。例えば、特許文献１には、便座の消費電力抑制のため、非使用時の便座からの放熱ロスを少なくした便器が記載されている。この便器は、電力の消費を少なくするために、便蓋の内面に断熱材層を形成すると共に断熱材層に便座の暖房面を収容する収容凹溝が形成されている。
【先行技術文献】
【特許文献】
【０００３】
【特許文献１】特開平１０−２５７９９８号公報
【発明の概要】
【発明が解決しようとする課題】
【０００４】
ところで、特許文献１の便座では、非使用時の放熱を抑えるために、便蓋の内面に収容凹溝が形成された断熱材層が設けられている。しかし、断熱材層が便蓋本体から突き出ており、着座する使用者の背中と干渉して、使用者に圧迫感を与えることが考えられる。また干渉を避けるために便蓋をさらに後側へ開くようにすると、その分便器が大型化する懸念がある。
このような背景から、本発明者は、使用者の背中との干渉を低減した放熱を抑制する手段を備える便座を提供することが課題であると認識した。
【０００５】
本発明は、上記課題に鑑みなされたものであり、その目的の一つは、非使用時の放熱ロスを抑制した暖房便座に関して、使用者の背中との干渉を低減した放熱を抑制する手段を備える暖房便座装置を提供することにある。
【課題を解決するための手段】
【０００６】
上記課題を解決するために、本発明のある態様の暖房便座装置は、発熱体を有する便座と、回転自在に開閉する便蓋と、便蓋が閉じた状態で便座と便蓋の間に介在する可動部と、を備える。可動部は、便蓋を閉じた状態で便蓋から離れ、便座に接近する位置に移動可能であり、便蓋を開いた状態で便蓋に接近する位置に移動可能である。
【０００７】
この態様によると、非使用時に便蓋を閉じることによって可動部が便座側に接近するから、便座の表面からの放熱を抑制し、使用時に便蓋を開くことによって可動部が便蓋側に接近するから使用者の背中との干渉を抑制する。
【発明の効果】
【０００８】
本発明によれば、使用者の背中との干渉を低減した放熱を抑制する手段を備えた暖房便座を提供することができる。
【図面の簡単な説明】
【０００９】
【図１】本発明の第１実施形態の暖房便座装置の要部を示す斜視図である。
【図２】図１の暖房便座装置の便蓋を閉じた状態の側面視の断面の模式図である。
【図３】図１の暖房便座装置の便蓋を開いた状態の側面視の断面の模式図である。
【図４】第２実施形態の暖房便座装置の便蓋を閉じた状態を示す模式図である。
【図５】第２実施形態の暖房便座装置の便蓋を開いた状態を示す模式図である。
【図６】第３実施形態の暖房便座装置の便蓋を閉じた状態を示す模式図である。
【図７】第３実施形態の暖房便座装置の便蓋を開いた状態を示す模式図である。
【図８】第４実施形態の暖房便座装置の便蓋を閉じた状態を示す模式図である。
【図９】第４実施形態の暖房便座装置の便蓋を開いた状態を示す模式図である。
【図１０】第５実施形態の暖房便座装置の便蓋を閉じた状態を示す模式図である。
【図１１】第５実施形態の暖房便座装置の便蓋を開いた状態を示す模式図である。
【図１２】第６実施形態の暖房便座装置の便蓋を閉じた状態を示す模式図である。
【図１３】第６実施形態の暖房便座装置の便蓋を開いた状態を示す模式図である。
【図１４】第７実施形態の暖房便座装置の便蓋を閉じた状態を示す模式図である。
【図１５】第７実施形態の暖房便座装置の便蓋を開いた状態のを示す模式図である。
【図１６】第８実施形態の暖房便座装置の便蓋を閉じた状態を示す模式図である。
【図１７】第８実施形態の暖房便座装置の便蓋を開いた状態を示す模式図である。
【図１８】第９実施形態の暖房便座装置の便蓋を閉じた状態を示す模式図である。
【図１９】第９実施形態の暖房便座装置の便蓋を閉じた状態を示す模式図である。
【図２０】第９実施形態の暖房便座装置の便蓋を開いた状態を示す模式図である。
【図２１】第９実施形態の暖房便座装置の便蓋と使用者の関係を示す模式図である。
【図２２】第９実施形態の暖房便座装置の便蓋の分解斜視図である。
【図２３】便蓋の可動部の周辺を説明する模式図である。
【図２４】第１０実施形態の暖房便座装置の便蓋を閉じた状態を示す模式図である。
【図２５】第１０実施形態の暖房便座装置の便蓋を開いた状態を示す模式図である。
【図２６】第１１実施形態の暖房便座装置の便蓋を閉じた状態を示す模式図である。
【図２７】第１１実施形態の暖房便座装置の便蓋を開いた状態を示す模式図である。
【図２８】押出部材の平面視の模式図である。
【図２９】第１比較例の暖房便座装置の要部を示す斜視図である。
【図３０】第１比較例の暖房便座装置の前方視の断面の模式図である。
【図３１】第１比較例の暖房便座装置の便蓋を閉じた状態を示す模式図である。
【図３２】第２比較例の暖房便座装置の要部を示す斜視図である。
【図３３】第２比較例の暖房便座装置の前方視の断面の模式図である。
【図３４】第２比較例の暖房便座装置の便蓋を閉じた状態を示す模式図である。
【図３５】第２比較例の暖房便座装置の便蓋を使用状態を示す模式図である。
【発明を実施するための形態】
【００１０】
以下、本発明を好適な実施の形態をもとに図１から３５を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（第１実施形態）
図１〜３を参照して第１実施形態の暖房便座装置１００について説明する。図１は、本発明の第１実施形態の暖房便座装置１００の要部を示す斜視図である。
便座２０は、便鉢部４０に設けられるリム部４２の上側に載置される。便座２０は、ヒンジ２４を支点に回転自在に便鉢部４０に取り付けられ、便鉢部４０に対して上げ下ろしすることができる。便座２０は、左右方向より前後方向が長く形成され、中央付近に中孔部２６が設けられ、中孔部２６の内側には空間１０４が形成される。特に、空間１０４は上下に延在する空間であって中孔部２６に環囲される領域である。便座２０は、主に上面２８に設けられる暖房面２８ａを加熱するために、例えば電気発熱体で構成される発熱体２２を内部に有する。
【００１２】
以下、図１に示すように、便座２０のヒンジ２４が設けられる側を後方と、その反対側を前方と表記する。また、便座２０を前方から視て、向かって右側を右と、向かって左側を左と表記する。また、便座２０の中孔部２６の左右範囲を二等分する直線を直線Ｘとし、便座２０の中孔部２６の前後範囲を二等分する直線を直線Ｙと表記する。また、側方視の断面というときは、直線Ｘに沿った鉛直面で切断した断面を右側から視た断面であり、前方視の断面というときは、直線Ｙに沿った鉛直面で切断した断面である。このような表記は、他の実施形態及び比較例の説明についても同様であり、直線Ｘと直線Ｙは記載を省略することがある。また、便座に対して便蓋を上げて開くことを単に「便蓋を開く」と、便座に便蓋を下ろして閉じることを単に「便蓋を閉じる」と表記する。
【００１３】
図２は暖房便座装置１００の便蓋３０を閉じた状態の側面視の断面の模式図である。図３は暖房便座装置１００の便蓋３０を開いた状態の側面視の断面の模式図である。暖房便座装置１００は、便座２０と、便座２０を開閉する便蓋３０と、便蓋３０が閉じているときに便座２０の上面の一部を覆う可動部１０と、を含む。
【００１４】
便蓋３０は、閉じた状態における、前方側が略楕円形状で後方側が略矩形状を有する板状の外装部３２と、外装部３２の縁から略下方に向かって延在する縁部３４とが、一体に形成される。便蓋３０は、縁部３４の後方側がヒンジ３６を介して便座２０に取り付けられる。ヒンジ３６の回転軸はヒンジ２４の回転軸と同軸に設けられる。便蓋３０は、ヒンジ３６を支点に便座２０に対して回転自在に設けられる。便蓋３０は、閉じた状態にて便座２０を収容するように覆い、便座２０の放熱を抑制する。
【００１５】
可動部１０は、左右方向より前後方向が長い略楕円形状の板状の部材で、例えば樹脂材料から形成される。可動部１０は、断熱性を備えるために、例えば高発泡倍率のウレタン発泡体やポリエチレン発泡体から形成される。可動部１０は、前方部１０ａがヒンジ１２によって外装部３２の内側に固定され、後方部１０ｂはヒンジ１２を支点に回転可能に設けられる。可動部１０の動作については後述する。
【００１６】
（第１比較例）
先に、図２９〜３１を参照して、第１比較例１３００について説明する。図２９は第１比較例１３００の要部を示す斜視図である。図３０は、第１比較例１３００の前方視の断面の模式図である。図３１は、第１比較例１３００の側方視の断面の模式図である。図３０、図３１は便座２０に便蓋３０を閉じた状態を示している。
【００１７】
第１比較例１３００は、非使用時には、便蓋３０は便座２０に下ろされ、便座２０の暖房面２８ａが便蓋３０内に収容される。便座２０は所定の温度範囲に維持されているもので、放熱があり温度が低下すると通電し昇温するものであるために、放熱量が多いと電力消費が大きくなる。
【００１８】
第１比較例１３００の放熱のメカニズムについて説明する。便座２０の上面２８は上方の空間１０２を介して便蓋３０の保温材からなる内蓋１３１０が対向している。便座２０と内蓋１３１０の距離を小さくすることによって空間１０２における空気の流れが抑制される。一方、中孔部２６の内側の空間１０４及び便鉢部４０内部の空間１０６には空気の流れを遮るものはなく、矢印で示すような対流１３０８が生じる。
【００１９】
発熱体２２に加熱されることで高温になっている便座２０の上面２８の熱量が対流１３０８によって便鉢部４０内部の空間１０６の空気に放熱される。このように、便座２０で生じる熱量の多くの割合が中孔部２６の空間１０４を通じて対流によって放熱される。
【００２０】
（第２比較例）
次に、図３２〜３５を参照して第２比較例１４００について説明する。図３２は第２比較例１４００の要部を示す斜視図である。図３３は、第２比較例１４００の前方視の断面の模式図である。図３４は、第２比較例１４００の側方視の断面の模式図である。図３３、図３４は便座２０に便蓋３０を閉じた状態を示している。図３５は、第２比較例１４００の使用状態の側方視の断面の模式図である。
【００２１】
第２比較例１４００は、便蓋３０の内蓋１４１０に中孔部２６に向かって突出する突出部１４１０ａが設けられている。突出部１４１０ａが中孔部２６に向かって突出することによって、便座２０の周囲の空間が狭められ、その部分での対流を抑制することができる。この結果、第２比較例１４００では、対流に起因する便座２０からの放熱量が減るから、第１比較例１３００と比較して便座２０の消費電力を抑制できる。
【００２２】
図３５は、第２比較例１４００の使用状態の側方視の断面を示す模式図である。図３５は便座２０から便蓋３０を開いた状態を示している。第２比較例１４００の突出部１４１０ａは、便蓋３０に対して固定的に設けられているから、便蓋３０を開いた状態でも便蓋３０の内側から前方に突き出ている。この状態で使用者５０が便座２０に座ると、突出部１４１０ａが使用者５０の背中５０ａに接近して接触することが考えられる。突出部１４１０ａが使用者５０の背中５０ａに接近すると、窮屈であり圧迫感があり、使用者５０に不快感を与える恐れがある。
【００２３】
また、便蓋３０から突出する突出部１４１０ａには違和感があり意匠性を損なうことが考えられ、このことによって消費者の購買意欲が低下する可能性がある。
【００２４】
（可動部）
次に、図１〜３に戻って、暖房便座装置１００の可動部１０の動作を説明する。可動部１０は、可動部１０が受ける重力によって移動する。特に、可動部１０の後方部１０ｂは、便蓋３０を閉じるときに、可動部１０が受ける重力によって、便蓋３０から離れるように移動して便座２０に接近する。可動部１０の後方部１０ｂは、便蓋３０を開くときに、可動部１０が受ける重力によって、便蓋３０に接近するように移動する。
【００２５】
可動部１０のヒンジ１２の回転に係る抵抗に比べて可動部１０が受ける重力が小さい場合は、可動部１０が円滑に移動しないことが考えられる。可動部１０が受ける重力を大きくするために、可動部１０の後方部１０ｂの近傍には、重り８０が内蔵される。また、図１に示すように、可動部１０を外装部３２に引き寄せるために、弾性部材９０が設けられる。弾性部材９０の形状や素材に特別の制限はないが、例えばコイルスプリングや紐状のゴムなどを用いることができる。
【００２６】
図２に示すように、暖房便座装置１００は、便蓋３０を閉じるとき、可動部１０の後方部１０ｂは外装部３２から押出され、便蓋３０から離れるように移動して便座２０に接近する。可動部１０が便座２０の上面２８の暖房面２８ａに接近すると、便蓋３０を通過する熱伝導による放熱だけでなく、対流による放熱も抑えられる。つまり、上面２８の暖房面２８ａの上方の空間１０２が狭められる。
【００２７】
図３に示すように、暖房便座装置１００は、便蓋３０を開くとき、可動部１０の後方部１０ｂは便蓋３０に接近して外装部３２側に後退する。
【００２８】
暖房便座装置１００は、その非使用時に上面２８の暖房面２８ａの上方の空間１０２が狭められ、その部分の空気の対流を抑制することによって、対流に起因する便座２０からの放熱量が減るから、便座２０の消費電力を抑制できる。また、暖房便座装置１００は、その使用時に、可動部１１０は外装部３２側に後退するから、使用者の背中と便蓋３０の干渉を低減し、圧迫感も抑制され、意匠性も殆ど損なわれない。
【００２９】
（第２実施形態）
次に、図４，５を参照して第２実施形態の暖房便座装置２００について説明する。図４は暖房便座装置２００の便蓋３０を閉じた状態の側面視の断面の模式図である。図５は暖房便座装置２００の便蓋３０を開いた状態の側面視の断面の模式図である。暖房便座装置２００は、暖房便座装置１００に対して、可動部２１０の周辺の構成が相違する他は同様であり、重複する説明は省く。
【００３０】
可動部２１０は、左右方向より前後方向が長い略楕円形状の板状の部材で、例えば中孔部２６よりやや大きい形状を有する。可動部２１０は、可動部１０と同様に形成できる。可動部２１０は、前方部２１０ａがヒンジ２１２によって外装部３２の内側に固定され、後方部２１０ｂはヒンジ２１２を支点に回転可能に設けられる。
【００３１】
可動部２１０の後方部２１０ｂは、便蓋３０を閉じるときに、可動部２１０が受ける重力によって、便蓋３０から離れるように移動して便座２０に接近する。可動部２１０の後方部２１０ｂは、可動部２１０が受ける重力によって、便蓋３０を開くときに便蓋３０に接近するように移動する。
【００３２】
可動部１０と比較して、可動部２１０は、前後方向に短く、前方部２１０ａおよびヒンジ２１２は後ろ寄りに位置し、後方部２１０ｂは前寄りに位置する。この結果、図４に示すように、可動部２１０は、可動部１０より便座２０に接近した状態で前後方向に延在できるから、便座２０の中孔部２６を効果的に覆うことによって空気の対流を一層抑制できる。
【００３３】
図４に示すように、暖房便座装置２００は、便蓋３０を閉じるとき、可動部２１０は外装部３２から下りて、便蓋３０から離れるように移動して便座２０に接近する。
図５に示すように、暖房便座装置２００は、便蓋３０を開くとき、可動部２１０は便蓋３０に接近して外装部３２側に後退する。
【００３４】
暖房便座装置２００は、その非使用時に上面２８の上方の空間１０２が狭められ、その部分の空気の対流を抑制することによって、対流に起因する便座２０からの放熱量が減るから、便座２０の消費電力を抑制できる。また、暖房便座装置２００は、その使用時に、可動部２１０は外装部３２側に後退するから、使用者の背中と便蓋３０の干渉を低減し、圧迫感も抑制され、意匠性も殆ど損なわれない。
【００３５】
便蓋３０の断熱性を維持するため、可動部２１０の前後には、断熱性の素材から形成される前部２１０ｃと後部２１０ｄが設けられる。暖房便座装置２００は、暖房便座装置１００と同様に、重り８０と弾性部材９０の少なくとも一つを備えてもよい。
【００３６】
（第３実施形態）
次に、図６，７を参照して第３実施形態の暖房便座装置３００について説明する。図６は暖房便座装置３００の便蓋３０を閉じた状態の側面視の断面の模式図である。図７は暖房便座装置３００の便蓋３０を開いた状態の側面視の断面の模式図である。暖房便座装置３００は、暖房便座装置１００に対して、内蓋３１０ｃの周辺の構成が相違する他は同様であり、重複する説明は省く。
【００３７】
内蓋３１０ｃは、左右方向より前後方向が長い略楕円形状の板状の部材で、例えば樹脂材料から形成される。内蓋３１０ｃは、例えば中孔部２６よりやや大きい形状を有する。内蓋３１０ｃは、前方部２１０ａがヒンジ３１２によって外装部３２の内側に固定され、後方部３１０ｂはヒンジ３１２を支点に回転可能に設けられる。
【００３８】
内蓋３１０ｃは、可動部１０と同様に動作する。内蓋３１０ｃの後方部３１０ｂは、便蓋３０を閉じるときに、可動部３１０が受ける重力によって、便蓋３０から離れるように移動して便座２０に接近する。可動部１０の後方部３１０ｂは、内蓋３１０ｃが受ける重力によって、便蓋３０を開くときに便蓋３０に接近するように移動する。
【００３９】
図６に示すように、暖房便座装置３００は、便蓋３０を閉じるとき、内蓋３１０ｃは外装部３２から下りて、便蓋３０から離れるように移動して便座２０に接近する。
図７に示すように、暖房便座装置３００は、便蓋３０を開くとき、内蓋３１０ｃは便蓋３０に接近して外装部３２側に後退する。
【００４０】
暖房便座装置３００は、その非使用時に上面２８の上方の空間１０２が狭められ、その部分の空気の対流を抑制することによって、対流に起因する便座２０からの放熱量が減るから、便座２０の消費電力を抑制できる。また、暖房便座装置３００は、その使用時に、内蓋３１０ｃは外装部３２側に後退するから、使用者の背中と便蓋３０の干渉を低減し、圧迫感も抑制され、意匠性も殆ど損なわれない。暖房便座装置１００と同様に、重り８０と弾性部材９０の少なくとも一つを備えてもよい。
【００４１】
（第４実施形態）
次に、図８，９を参照して第４実施形態の暖房便座装置４００について説明する。図８は暖房便座装置４００の便蓋３０を閉じた状態の側面視の断面の模式図である。図９は暖房便座装置４００の便蓋３０を開いた状態の側面視の断面の模式図である。暖房便座装置４００は、暖房便座装置１００に対して、可動部４１０の周辺の構成が相違する他は同様であり、重複する説明は省く。
【００４２】
暖房便座装置４００は、可動部４１０と支持機構４１２と変形機構４１４とを備える。支持機構４１２はスライド機構４１２ａとスライド機構４１２ｂを含む。変形機構４１４は、外装部３２に固定されるステッピングモータ４１４ａと、ステッピングモータ４１４ａの出力軸に固定されるカム４１４ｂを含む。
【００４３】
可動部４１０は、左右方向より前後方向が長い略楕円形状の板状の部材で、例えば樹脂材料から形成される。可動部４１０は、例えば中孔部２６よりやや大きい形状を有する。可動部４１０は、断熱性を備えるために、例えば高発泡倍率のウレタン発泡体やポリエチレン発泡体から形成される。
【００４４】
可動部４１０の前後には、外装部３２の内側に固定される前部４１０ｃと後部４１０ｄが設けられる。可動部４１０は、前方部４１０ａが前部４１０ｃから伸びるスライド機構４１２ａによって可動的に支持され、後方部４１０ｂが後部４１０ｄから伸びるスライド機構４１２ｂによって可動的に支持される。
【００４５】
ステッピングモータ４１４ａが時計回りに回転するとカム４１４ｂは可動部４１０を押出すように駆動する。ステッピングモータ４１４ａが反時計回りに回転するとカム４１４ｂは元の位置に戻り、可動部４１０は外装部３２側に後退する。
【００４６】
図８に示すように、暖房便座装置４００は、便蓋３０を閉じるとき、制御部（不図示）はステッピングモータ４１４ａが時計回りに回転するように制御する。この結果、ステッピングモータ４１４ａの回転に伴うカム４１４ｂの作用により、可動部４１０は外装部３２から押出され、便蓋３０から離れるように移動して便座２０に接近する。
【００４７】
図９に示すように、暖房便座装置４００は、便蓋３０を開くとき、制御部はステッピングモータ４１４ａが反時計回りに回転するように制御する。この結果、ステッピングモータ４１４ａの回転に伴うカム４１４ｂの作用により、可動部４１０は便蓋３０に接近して外装部３２側に後退する。
【００４８】
暖房便座装置４００は、その非使用時に上面２８の暖房面２８ａの上方の空間１０２が狭められ、その部分の空気の対流を抑制することによって、対流に起因する便座２０からの放熱量が減るから、便座２０の消費電力を抑制できる。また、暖房便座装置４００は、その使用時に、可動部４１０は外装部３２側に後退するから、使用者の背中と便蓋３０の干渉を低減し、圧迫感も抑制され、意匠性も殆ど損なわれない。
【００４９】
暖房便座装置４００の制御部は、例えば便蓋３０の角度を検知するセンサ（不図示）を含み、当該センサの出力に応じてステッピングモータ４１４ａの回転を制御するように構成してもよい。暖房便座装置４００の変形機構４１４には、ステッピングモータ４１４ａの代わりに、ブラシ付またはブラシレスの直流モータ、ギアドモータ、ソレノイドまたはリニアモータなどを使用することができる。
【００５０】
スライド機構４１２ａ、４１２ｂは、例えばレール上を滑走体が相対的に滑走することでこれらの位置が変化する機構であってもよく、これらが相互に脱落を防ぐ手段を含む。暖房便座装置４００の支持機構にはスライド機構に代えて、例えばつづら折り、蛇腹、または伸縮する膜状のダイヤフラムなどを使用することができる。
【００５１】
（第５実施形態）
次に、図１０，１１を参照して第５実施形態の暖房便座装置５００について説明する。図１０は暖房便座装置５００の便蓋３０を閉じた状態の側面視の断面の模式図である。図１１は暖房便座装置５００の便蓋３０を開いた状態の側面視の断面の模式図である。暖房便座装置５００は、暖房便座装置１００に対して、可動部５１０の周辺の構成が相違する他は同様であり、重複する説明は省く。
【００５２】
暖房便座装置５００は、可動部５１０と内蓋５１０ｃと支持機構５１２と変形機構５１４とを含む。支持機構５１２は蛇腹機構５１２ａを含む。変形機構５１４は、気体袋５１４ａと、気体袋５１４ａに空気などの気体を出し入れするポンプ５１４ｂを含む。気体袋５１４ａは内蓋５１０ｃと可動部５１０との間に介在する。内蓋５１０ｃは便蓋３０の外装部３２の内側に固定される。内蓋５１０ｃは、断熱性を備えるために、例えば高発泡倍率のウレタン発泡体やポリエチレン発泡体から形成される。
【００５３】
可動部５１０は、左右方向より前後方向が長い略楕円形の部材で、例えば樹脂製の薄板から形成される。可動部５１０は例えば中孔部２６よりやや大きい形状を有する。可動部５１０の周縁は、内蓋５１０ｃから伸びる蛇腹機構５１２ａによって可動的に支持される。
【００５４】
変形機構５１４は、ポンプ５１４ｂから送出された空気が送り込まれることによって気体袋５１４ａが膨張すると可動部５１０を押出すように駆動する。ポンプ５１４ｂで空気が吸い出されることによって、気体袋５１４ａが収縮すると可動部５１０は外装部３２側に後退する。また、変形機構５１４は、便蓋３０を開くことで自動的に気体袋５１４ａ内の空気を排出するように構成されてもよい。
【００５５】
図１０に示すように、暖房便座装置５００は、便蓋３０を閉じるとき、制御部（不図示）は気体袋５１４ａが膨張するようにポンプ５１４ｂを制御する。この結果、可動部５１０は外装部３２から押出され、便蓋３０から離れるように移動して便座２０に接近して中孔部２６の少なくとも一部を覆う。なお、気体袋５１４ａ内の対流を減らしてその放熱量を抑制するために、気体袋５１４ａには仕切り５１０ｄが設けられる。
【００５６】
図１１に示すように、暖房便座装置５００は、便蓋３０を開くとき、制御部（不図示）は気体袋５１４ａが収縮するようにポンプ５１４ｂを制御する。この結果、可動部５１０は、便蓋３０に接近して外装部３２側に後退する。
【００５７】
暖房便座装置５００は、その非使用時に上面２８の暖房面２８ａの上方の空間１０２が狭められ、その部分の空気の対流を抑制することによって、対流に起因する便座２０からの放熱量が減るから、便座２０の消費電力を抑制できる。また、暖房便座装置５００は、その使用時に、可動部５１０は外装部３２側に後退するから、使用者の背中と便蓋３０の干渉を低減し、圧迫感も抑制され、意匠性も殆ど損なわれない。
【００５８】
（第６実施形態）
次に、図１２，１３を参照して第６実施形態の暖房便座装置６００について説明する。図１２は暖房便座装置６００の便蓋３０を閉じた状態の側面視の断面の模式図である。図１３は暖房便座装置６００の便蓋３０を開いた状態の側面視の断面の模式図である。暖房便座装置６００は、暖房便座装置１００に対して、可動部６１０の周辺の構成が相違する他は同様であり、重複する説明は省く。
【００５９】
暖房便座装置６００は、可動部６１０と内蓋６１０ｃと支持機構６１２と変形機構６１４とを含む。支持機構６１２はエアシリンダ６１２ａを含む。エアシリンダ６１２ａは、円筒状のシリンダにピストンが内挿されており、シリンダに空気などの気体を出し入れすることによってエアシリンダ６１２ａの全長を伸縮できる。変形機構６１４は、エアシリンダ６１２ａと、エアシリンダ６１２ａに空気などの気体を出し入れするためのポンプ６１４ａを含む。
【００６０】
エアシリンダ６１２ａは内蓋６１０ｃと可動部６１０との間に介在する。内蓋６１０ｃは便蓋３０の外装部３２の内側に固定される。内蓋６１０ｃは、断熱性を備えるために、例えば高発泡倍率のウレタン発泡体やポリエチレン発泡体から形成される。
【００６１】
可動部６１０は、左右方向より前後方向が長い略楕円形の部材で、例えば樹脂製の薄板から形成される。可動部６１０は例えば中孔部２６よりやや大きい形状を有する。可動部６１０の前方側と後方側は、内蓋６１０ｃから伸びるエアシリンダ６１２ａによって可動的に支持される。
【００６２】
変形機構６１４は、ポンプ６１４ａから送出された空気が送り込まれることによってエアシリンダ６１２ａが伸張すると可動部６１０を押出すように駆動する。ポンプ６１４ａで空気が吸い出されることによって、エアシリンダ６１２ａが収縮すると可動部６１０は外装部３２側に後退する。
【００６３】
図１２に示すように、暖房便座装置６００は、便蓋３０を閉じるとき、制御部（不図示）はエアシリンダ６１２ａが伸張するようにポンプ６１４ａを制御する。この結果、可動部６１０は外装部３２から押出され、便蓋３０から離れるように移動して便座２０に接近して中孔部２６の少なくとも一部を覆う。
【００６４】
図１３に示すように、暖房便座装置６００は、便蓋３０を開くとき、制御部（不図示）はエアシリンダ６１２ａが収縮するようにポンプ６１４ａを制御する。この結果、可動部６１０は、便蓋３０に接近して外装部３２側に後退する。なお、エアシリンダ６１２ａの伸張または収縮の動作を補助するために、スプリングなどの弾性体を備えてもよい。特に、エアシリンダ６１２ａを収縮する方向に復元力を生じるスプリングを備えてもよい。
【００６５】
暖房便座装置６００は、その非使用時に上面２８の暖房面２８ａの上方の空間１０２が狭められ、その部分の空気の対流を抑制することによって、対流に起因する便座２０からの放熱量が減るから、便座２０の消費電力を抑制できる。また、暖房便座装置６００は、その使用時に、可動部６１０は外装部３２側に後退するから、使用者の背中と便蓋３０の干渉を低減し、圧迫感も抑制され、意匠性も殆ど損なわれない。
【００６６】
（第７実施形態）
次に、図１４，１５を参照して第７実施形態の暖房便座装置７００について説明する。図１４は暖房便座装置７００の便蓋３０を閉じた状態の側面視の断面の模式図である。図１５は暖房便座装置７００の便蓋３０を開いた状態の側面視の断面の模式図である。暖房便座装置７００は、暖房便座装置１００に対して、可動部７１０の周辺の構成が相違する他は同様であり、重複する説明は省く。
【００６７】
暖房便座装置７００は、可動部７１０と内蓋７１０ｃと変形機構７１４とを含む。変形機構７１４は、ヒンジ７１４ｃを有する基部７１４ｂと、基部７１４ｂから延伸するレバー部材７１４ａを含む。レバー部材７１４ａは、ヒンジ７１４ｃを支点に回転可能に形成され、内蓋７１０ｃと可動部７１０との間に介在する。ヒンジ７１４ｃの回転軸は便蓋３０のヒンジ３６の回転軸と同軸に設けられる。内蓋７１０ｃは、断熱性を備えるために、例えば高発泡倍率のウレタン発泡体やポリエチレン発泡体から形成される。
【００６８】
可動部７１０は、変形可能に形成される表面部７１０ｂを含む。表面部７１０ｂは、伸縮性と可撓性の少なくとも一つを有するシート状の部材で、内蓋７１０ｃを覆うように内蓋７１０ｃに固定される。便蓋３０には、便蓋３０を閉じるときに、表面部７１０ｂを便蓋３０から押し出すように変形させるための変形機構７１４が設けられる。表面部７１０ｂは、例えば樹脂製のシート、織布、不織布またはこれらを複合したシートから形成できる。可動部７１０は積層シートであってもよい。表面部７１０ｂの表面には塗布層やコート層が設けられてもよい。清掃を容易にするために、表面部７１０ｂの表面は平滑に形成されてもよい。特に、可動部７１０の表面部７１０ｂは取り外し可能に取り付けられる。
【００６９】
変形機構７１４は、レバー部材７１４ａの先端部が反時計方向に回転すると、可動部７１０の後方側の表面部７１０ｂを押出すように駆動する。レバー部材７１４ａの先端部が時計方向に回転すると、可動部７１０は外装部３２側に後退する。
【００７０】
図１４に示すように、暖房便座装置７００の可動部７１０は、便蓋３０を閉じるときに便蓋３０から押し出されるように変形する表面部７１０ｂを含む。特に、便蓋３０を閉じるとき、レバー部材７１４ａの先端部が反時計方向に回転する。この結果、可動部７１０の後方側の表面部７１０ｂは外装部３２から押出され、便蓋３０から離れるように移動して便座２０に接近して中孔部２６の少なくとも一部を覆う。
【００７１】
図１５に示すように、暖房便座装置７００は、便蓋３０を開くとき、レバー部材７１４ａの先端部が時計方向に回転する。この結果、可動部７１０の表面部７１０ｂは、便蓋３０に接近して外装部３２側に後退する。
【００７２】
暖房便座装置７００は、その非使用時に上面２８の暖房面２８ａの上方の空間１０２が狭められ、その部分の空気の対流を抑制することによって、対流に起因する便座２０からの放熱量が減るから、便座２０の消費電力を抑制できる。また、暖房便座装置７００は、その使用時に、可動部７１０は外装部３２側に後退するから、使用者の背中と便蓋３０の干渉を低減し、圧迫感も抑制され、意匠性も殆ど損なわれない。
【００７３】
（第８実施形態）
次に、図１６，１７を参照して第８実施形態の暖房便座装置８００について説明する。図１６は暖房便座装置８００の便蓋３０を閉じた状態の側面視の断面の模式図である。図１７は暖房便座装置８００の便蓋３０を開いた状態の側面視の断面の模式図である。暖房便座装置８００は、暖房便座装置１００に対して、可動部８１０の周辺の構成が相違する他は同様であり、重複する説明は省く。
【００７４】
暖房便座装置８００は、可動部８１０と内蓋８１０ｃと変形機構８１４とを含む。変形機構８１４は、一端にヒンジ８１４ｃを有し他端８１４ｄが塞がれる管状の押出部材８１４ａを含む。変形機構８１４は、重力によって表面部８１０ｂを押し出すように動作する重力部材として球状の重り８１４ｂを含む。重り８１４ｂは、押出部材８１４ａの内側に移動可能に組み込まれる。押出部材８１４ａは、ヒンジ８１４ｃを介して内蓋８１０ｃに固定され、ヒンジ８１４ｃを支点に回転可能に形成される。内蓋８１０ｃは、内蓋７１０ｃと同様に形成できる。
【００７５】
可動部８１０は、変形可能に形成される表面部８１０ｂを含む。表面部８１０ｂは、伸縮性と可撓性の少なくとも一つを有するシート状の部材で、内蓋８１０ｃを覆うように内蓋８１０ｃに固定される。可動部８１０は、可動部７１０と同様に形成できる。
【００７６】
便蓋３０には、重力によって表面部８１０ｂを押し出すように構成される変形機構８１４が設けられる。特に、変形機構８１４は、押出部材８１４ａの先端部が反時計方向に回転すると、可動部８１０の表面部８１０ｂを押出すように駆動する。押出部材８１４ａの先端部が時計方向に回転すると、可動部８１０は外装部３２側に後退する。
【００７７】
図１６に示すように、暖房便座装置８００は、便蓋３０を閉じるとき、変形機構８１４の重り８１４ｂは自身が受ける重力により下方側に移動するから、押出部材８１４ａの先端部が反時計方向に回転する。この結果、可動部８１０の表面部８１０ｂは外装部３２から押出され、便蓋３０から離れるように移動して便座２０に接近して中孔部２６の少なくとも一部を覆う。
【００７８】
図１７に示すように、暖房便座装置８００は、便蓋３０を開くとき、変形機構８１４の重り８１４ｂは自身が受ける重力によりヒンジ８１４ｃ側に移動するから、押出部材８１４ａの先端部が時計方向に回転する。この結果、可動部８１０の表面部８１０ｂは、便蓋３０に接近して外装部３２側に後退する。なお、押出部材８１４ａの先端部が時計方向に回転する方向に復元力を生じるスプリングを備えてもよい。
【００７９】
暖房便座装置８００は、その非使用時に上面２８の暖房面２８ａの上方の空間１０２が狭められ、その部分の空気の対流を抑制することによって、対流に起因する便座２０からの放熱量が減るから、便座２０の消費電力を抑制できる。また、暖房便座装置８００は、その使用時に、可動部８１０は外装部３２側に後退するから、使用者の背中と便蓋３０の干渉を低減し、圧迫感も抑制され、意匠性も殆ど損なわれない。
【００８０】
（第９実施形態）
次に、図１８から２２を参照して第９実施形態の暖房便座装置９００について説明する。図１８は、暖房便座装置９００の便蓋３０を閉じた状態の側面視の断面の模式図である。図１９は、図１８の暖房便座装置９００の前方視の断面の模式図である。図２０は、暖房便座装置９００の便蓋３０を開いた状態の側面視の断面の模式図である。図２１は、暖房便座装置９００の便蓋３０を開いた状態で使用者５０との関係を示す平面視の模式図である。暖房便座装置９００は、暖房便座装置１００に対して、可動部９１０の周辺の構成が相違する他は同様であり、重複する説明は省く。
【００８１】
暖房便座装置９００は、可動部９１０と内蓋９１０ｃと変形機構９１４とを含む。変形機構９１４は、一端にヒンジ９１４ｃを有する押出部材９１４ａと、押出部材９１４ａの他端９１４ｄに固定される重り９１４ｂと、を含む。押出部材９１４ａは、ヒンジ９１４ｃを介して外装部３２に固定され、ヒンジ９１４ｃを支点に回転可能に設けられる。内蓋９１０ｃは、内蓋７１０ｃと同様に形成できる。
【００８２】
可動部９１０は、変形可能に形成される表面部９１０ｂを含む。表面部９１０ｂは、伸縮性と可撓性の少なくとも一つを有するシート状の部材で、内蓋９１０ｃを覆うように内蓋９１０ｃに固定される。可動部９１０は、可動部７１０と同様に形成できる。
【００８３】
変形機構９１４は、押出部材９１４ａの先端部が時計方向に回転すると、可動部９１０の表面部９１０ｂを押出すように駆動する。押出部材９１４ａの先端部が反時計方向に回転すると、可動部９１０は外装部３２側に後退する。
【００８４】
図１８、１９に示すように、暖房便座装置９００は、便蓋３０を閉じるとき、変形機構９１４の押出部材９１４ａと重り９１４ｂとはそれらが受ける重力によりモーメントを生じ、押出部材９１４ａの他端９１４ｄが時計方向に回転する。この結果、可動部９１０の表面部９１０ｂは外装部３２から押出され、便蓋３０から離れるように移動して便座２０に接近して中孔部２６の少なくとも一部を覆う。
【００８５】
暖房便座装置９００は、その非使用時に便座２０の上面２８の暖房面２８ａの上方の空間１０２が狭められるから、その部分の空気の対流を抑制することによって、空気の対流に起因する便座２０からの放熱量が減るから、便座２０の消費電力を抑制できる。
【００８６】
図２０に示すように、暖房便座装置９００は、便蓋３０を開くとき、変形機構９１４の押出部材９１４ａと重り９１４ｂとはそれらが受ける重力によりモーメントを生じ、押出部材９１４ａの他端９１４ｄが反時計方向に回転する。この結果、可動部９１０の表面部９１０ｂは、便蓋３０に接近して外装部３２側に後退する。なお、押出部材９１４ａの他端９１４ｄが反時計方向に回転する方向に復元力を生じるスプリングを備えてもよい。
【００８７】
図２０、２１で示すように、暖房便座装置９００の可動部９１０の表面は、後方に窪む凹面または平面であるから、便座２０に着座する使用者５０の背中５０ａとの干渉を抑制できる。また、可動部９１０の表面が背中５０ａに触れた場合であっても、可動部９１０は伸縮性または可撓性を有するシートから形成されているから、違和感は僅かである。また、暖房便座装置９００は、その使用時に、可動部９１０は外装部３２側に後退するから、圧迫感も抑制され、意匠性も殆ど損なわれない。
【００８８】
図２２は、暖房便座装置９００の便蓋３０の分解斜視図である。便蓋３０は、外装部３２の内側に、内蓋９１０ｃと、断熱部材９１４ｅと、押出部材９１４ａと、シート状の表面部９１０ｂを含む可動部９１０と、重り９１４ｂとが設けられる。可動部９１０は、例えばポリウレタンシート、織布、不織布などから、平面状または若干の立体形状に形成される。可動部９１０は、その後端に上向に立ち上げられる立縁９１０ｂａが形成される。特に、立縁９１０ｂａは、可動部９１０の後方に設けられる凹部９１０ｂｂに形成される。可動部９１０は、立縁９１０ｂａが内蓋９１０ｃの側面に接着固定されてもよい。可動部９１０は、立縁９１０ｂａによって内蓋９１０ｃを包むように取りつけてもよい。可動部９１０は、内蓋９１０ｃに対して取り外し可能に取りつけてもよい。
【００８９】
押出部材９１４ａは、前後方向に延伸するアーム部９１４ｇと、アーム部９１４ｇの後端に側に固定され左右方向に延在する押出部９１４ｈと、を含む。アーム部９１４ｇは細長い略矩形状に形成され、押出部９１４ｈは略半楕円弧形状に形成される。押出部９１４ｈの外形は、シート状の可動部９１０の表面部９１０ｂを押し出して便座２０の中孔部２６の少なくとも一部を覆う。押出部材９１４ａの他端９１４ｄには重り９１４ｂが固定される。
【００９０】
内蓋９１０ｃと断熱部材９１４ｅは、断熱性を有する発泡樹脂などから形成され、外装部３２の内側に、例えば接着固定される。断熱部材９１４ｅは、内蓋９１０ｃの後述する切り欠き部９１０ｃａからの放熱を抑制する。押出部材９１４ａは、例えばＡＢＳ樹脂などの樹脂からモールド成型により形成できる。押出部材９１４ａは、断熱性を有する発泡樹脂などから形成されてもよい。重り９１４ｂは、鉄鋼など比較的密度の高い金属材料からプレス加工や鍛造加工などの方法によって形成できる。押出部材９１４ａが円滑に動作するために、重り９１４ｂは便蓋３０のヒンジ３６側に寄って設けられることが好ましい。
【００９１】
内蓋９１０ｃは、前方が略半楕円形状で後方が略矩形状に形成され、後方端の左右の両側は内側に凹んでいる。内蓋９１０ｃの中程には押出部材９１４ａを収容する切り欠き部９１０ｃａが設けられる。切り欠き部９１０ｃａは、孔状または凹状に形成してもよい。切り欠き部９１０ｃａを凹状に形成する場合は外装部３２の内側の断熱材と一体化してもよい。切り欠き部９１０ｃａは、便蓋３０を開いた状態で、押出部材９１４ａを収容可能にするために、押出部材９１４ａの外形より少し大きくい形状に形成される。この構成によって、便蓋３０が開いた状態で、押出部材９１４ａは切り欠き部９１０ｃａに収容されるから、可動部９１０の前方への出っ張りは最小限に抑えられる。また、便蓋３０を開いた状態で、表面部９１０ｂのすぐ裏側に内蓋９１０ｃや押出部材９１４ａがあることによって、便蓋３０の前方の表面を押した場合や寄りかかった場合でも変形が小さく抑えられるから、使用者の違和感を抑制することができる。
【００９２】
固定部材９２２は、例えば可動部９１０から内蓋９１０ｃを貫通して外装部３２にねじ込まれるスクリュウを使用することができる。可動部９１０の取り外しと洗浄を容易にするために、固定部材９２２は、スクリュウの代わりに押し回しロック機構などを使用してもよい。固定部材９２２は、便座２０とのクッション性を持たせるためにゴムなどの弾性体から形成される部分を含んでもよい。可動部９１０は、立縁９１０ｂａが内蓋９１０ｃの辺縁９１０ｃｂに当接することで容易に位置決めできる。この状態で内蓋９１０ｃに固定すれば、可動部９１０の位置ずれを抑制し、確りと固定することができる。
【００９３】
図２３は、暖房便座装置９００の便蓋３０の可動部９１０の周辺を説明する模式図である。図２３では、可動部９１０を強調するため厚く表記している。図２３は、シート状の可動部９１０を内蓋９１０ｃに被せた状態を示している。可動部９１０の周縁には弾性体リング９３０が環状に固定される。弾性体リング９３０は、例えばゴム製の紐を使用することができる。このように構成することによって、弾性体リング９３０を押し広げた状態の可動部９１０を内蓋９１０ｃに被せることで、可動部９１０を内蓋９１０ｃに容易に装着でき、弾性体リング９３０収縮力によって装着状態を維持できる。また、弾性体リング９３０を押し広げることで、可動部９１０は内蓋９１０ｃから容易に取り外しできる。また、可動部９１０被せた状態の内蓋９１０ｃも外装部３２に対して取り外し可能に固定できる。
【００９４】
（第１０実施形態）
次に、図２４，２５を参照して第１０実施形態の暖房便座装置１０００について説明する。図２４は暖房便座装置１０００の便蓋３０を閉じた状態の側面視の断面の模式図である。図２５は暖房便座装置１０００の便蓋３０を開いた状態の側面視の断面の模式図である。暖房便座装置１０００は、暖房便座装置１００に対して、可動部１０１０の周辺の構成が相違する他は同様であり、重複する説明は省く。
【００９５】
暖房便座装置１０００の便蓋３０には、可動部１０１０と内蓋１０１０ｃと可動部１０１０の表面部１０１０ｂを変形するように構成される変形機構１０１４が設けられる。暖房便座装置１０００の変形機構１０１４は、表面部１０１０ｂを押し出すための複数の押出部材１０１４ａ、１０１６ａを含む。特に、変形機構１０１４は、一端にヒンジ１０１４ｃを有する押出部材１０１４ａと、一端にヒンジ１０１６ｂを有する押出部材１０１６ａと、を含む。
【００９６】
押出部材１０１４ａの他端１０１４ｄと、押出部材１０１６ａの他端１０１６ｃにはそれぞれ重り１０１４ｂ、１０１６ｄが固定される。押出部材１０１４ａは、ヒンジ１０１４ｃを介して内蓋１０１０ｃに固定され、ヒンジ１０１４ｃを支点に回転可能に設けられる。押出部材１０１６ａは、ヒンジ１０１６ｂを介して内蓋１０１０ｃに固定され、ヒンジ１０１６ｂを支点に回転可能に設けられる。押出部材１０１６ａは押出部材１０１４ａの前方に設けられる。
【００９７】
可動部１０１０は、変形可能に形成される表面部１０１０ｂを含む。表面部１０１０ｂは、伸縮性と可撓性の少なくとも一つを有するシート状の部材で、内蓋１０１０ｃを覆うように内蓋１０１０ｃに固定される。可動部１０１０は、可動部７１０と同様に形成できる。
【００９８】
変形機構１０１４は、押出部材１０１４ａ、１０１６ａの先端部が時計方向に回転すると、可動部１０１０の表面部１０１０ｂの前後の両側で押出すように動作する。押出部材１０１４ａ、１０１６ａの先端部が反時計方向に回転すると、可動部１０１０は外装部３２側に後退する。
【００９９】
図２４に示すように、暖房便座装置１０００は、便蓋３０を閉じるとき、変形機構１０１４の押出部材１０１４ａと重り１０１４ｂとはそれらが受ける重力によりモーメントを生じ、押出部材１０１４ａの他端１０１４ｄが時計方向に回転する。また、１０１６ａの他端１０１６ｃも同様にして時計回りに回転する。この結果、可動部１０１０の前方側と後方側とは外装部３２から押出され、便蓋３０から離れるように移動して便座２０に接近して中孔部２６の少なくとも一部を覆う。
【０１００】
暖房便座装置１０００は、便座２０の上面２８の暖房面２８ａの上方の空間１０２が狭められるから、その部分の空気の対流を抑制することによって、空気の対流に起因する便座２０からの放熱量が減るから、便座２０の消費電力を抑制できる。
【０１０１】
図２５に示すように、暖房便座装置１０００は、便蓋３０を開くとき、変形機構１０１４の押出部材１０１４ａと重り１０１４ｂとはそれらが受ける重力によりモーメントを生じ、押出部材１０１４ａの他端１０１４ｄが反時計方向に回転する。また、１０１６ａの他端１０１６ｃも同様にして反時計回りに回転する。この結果、可動部１０１０は、便蓋３０に接近して外装部３２側に後退する。
【０１０２】
暖房便座装置１０００は、その非使用時に上面２８の暖房面２８ａの上方の空間１０２が狭められ、その部分の空気の対流を抑制することによって、対流に起因する便座２０からの放熱量が減るから、便座２０の消費電力を抑制できる。また、暖房便座装置１０００は、その使用時に、可動部１０１０は外装部３２側に後退するから、使用者の背中と便蓋３０の干渉を低減し、圧迫感も抑制され、意匠性も殆ど損なわれない。
【０１０３】
（第１１実施形態）
次に、図２６，２７を参照して第１１実施形態の暖房便座装置１１００について説明する。図２６は暖房便座装置１１００の便蓋３０を閉じた状態の側面視の断面の模式図である。図２７は暖房便座装置１１００の便蓋３０を開いた状態の側面視の断面の模式図である。暖房便座装置１１００は、暖房便座装置１００に対して、可動部１１１０の周辺の構成が相違する他は同様であり、重複する説明は省く。
【０１０４】
暖房便座装置１１００は、可動部１１１０と内蓋１１１０ｃと変形機構１１１４とを含む。暖房便座装置１１００の変形機構１１１４は、押出部材１１１４ａと、押出部材１１１４ａの動作と連動するように結合される押出部材１１１６ａと、含む。特に、変形機構１１１４は、一端にヒンジ１１１４ｃを有する押出部材１１１４ａと、一端にヒンジ１１１６ｃを有する押出部材１１１６ａと、を含む。
【０１０５】
押出部材１１１４ａの他端１１１４ｄには重り１１１４ｂが固定される。押出部材１１１４ａは、ヒンジ１１１４ｃを介して内蓋１１１０ｃに固定され、ヒンジ１１１４ｃを支点に回転可能に設けられる。押出部材１１１６ａは、ヒンジ１１１６ｃを介して内蓋１１１０ｃに固定され、ヒンジ１１１６ｃを支点に回転可能に設けられる。
【０１０６】
図２８は、押出部材１１１４ａと押出部材１１１６ａの平面視の模式図である。押出部材１１１４ａは前後に延伸する短冊状のアーム部１１１４ｇの側面に突出するピン１１１４ｅが設けられ、押出部材１１１６ａは側面に前後方向に長い長孔１１１６ｅが設けられる。ピン１１１４ｅは長孔１１１６ｅにはめ込まれており、押出部材１１１４ａの回転に伴いピン１１１４ｅが長孔１１１６ｅに沿って移動することによって、押出部材１１１６ａが回転する。つまり、押出部材１１１６ａは、押出部材１１１４ａの動作と連動するように結合される。
【０１０７】
可動部１１１０は、変形可能に形成される表面部１１１０ｂを含む。表面部１１１０ｂは、伸縮性と可撓性の少なくとも一つを有するシート状の部材で、内蓋１１１０ｃを覆うように内蓋１１１０ｃに固定される。可動部１１１０は、可動部７１０と同様に形成できる。
【０１０８】
変形機構１１１４は、押出部材１１１４ａの他端１１１４ｄが時計方向に回転すると、ピン１１１４ｅが長孔１１１６ｅの中を移動して、押出部材１１１６ａの他端１１１６ｂは反時計方向に回転する。他端１１１４ｄと他端１１１６ｂが移動することによって、可動部１１１０の表面部１１１０ｂの前方側と後方側とは押出されるように駆動される。押出部材１１１４ａ、の他端１１１４ｄが反時計方向に回転すると、可動部１１１０の表面部１１１０ｂは外装部３２側に後退する。
【０１０９】
図２６に示すように、暖房便座装置１１００は、便蓋３０を閉じるとき、変形機構１１１４の押出部材１１１４ａと重り１１１４ｂとはそれらが受ける重力によりモーメントを生じ、押出部材１１１４ａの他端１１１４ｄが時計方向に回転する。また、１１１６ａの他端１１１６ｂは反時計回りに回転する。この結果、可動部１１１０の表面部１１１０ｂの前方側と後方側とは外装部３２から押出され、便蓋３０から離れるように移動して便座２０に接近して中孔部２６の少なくとも一部を覆う。
【０１１０】
図２７に示すように、暖房便座装置１１００は、便蓋３０を開くとき、変形機構１１１４の押出部材１１１４ａと重り１１１４ｂとはそれらが受ける重力によりモーメントを生じ、押出部材１１１４ａの他端１１１４ｄが反時計方向に回転する。また、１１１６ａの他端１１１６ｂは時計回りに回転する。この結果、可動部１１１０の表面部１１１０ｂは、便蓋３０に接近して外装部３２側に後退する。
【０１１１】
暖房便座装置１１００は、その非使用時に上面２８の暖房面２８ａの上方の空間１０２が狭められ、その部分の空気の対流を抑制することによって、対流に起因する便座２０からの放熱量が減るから、便座２０の消費電力を抑制できる。また、暖房便座装置１１００は、その使用時に、可動部１１１０の表面部１１１０ｂは外装部３２側に後退するから、使用者の背中と便蓋３０の干渉を低減し、圧迫感も抑制され、意匠性も殆ど損なわれない。
【０１１２】
次に、本発明の実施形態の暖房便座装置の特徴を説明する。
暖房便座装置１００は、発熱体２２を有する便座２０と、回転自在に開閉する便蓋３０と、便蓋３０が閉じた状態で便座２０と便蓋３０の間に介在する可動部１０と、を備える。可動部１０は、便蓋３０を閉じた状態で便蓋３０から離れ、便座２０に接近する位置に移動可能であり、便蓋３０を開いた状態で便蓋３０に接近する位置に移動可能である。
【０１１３】
この構成によれば、暖房便座装置１００は、便蓋３０を閉じるときのみ便蓋３０の可動部１０が便座２０に接近するので、便蓋３０が使用者の背中との干渉や美観の劣化を抑制して、安価に便蓋３０の断熱性能を改善できる。このような特徴は、同様の構成を有する他の実施形態の暖房便座装置にも備わっている。
【０１１４】
暖房便座装置１００は、可動部１０が、便蓋３０を閉じるときに便蓋３０から離れるように移動して便座２０に接近し、便蓋３０を開くときに便蓋３０に接近するように移動する。この構成によれば、暖房便座装置１００は、便蓋３０の開閉動作に応じて可動部１０が自動的に移動するから、使用者の手間を省くことができる。このような特徴は、同様の構成を有する他の実施形態の暖房便座装置にも備わっている。
【０１１５】
暖房便座装置１００の可動部１０は、可動部１０が受ける重力によって移動するから、小型で安価に構成できる。このような特徴は、同様の構成を有する他の実施形態の暖房便座装置にも備わっている。
【０１１６】
暖房便座装置４００は、便蓋３０には、動力を発生する動力機構としてステッピングモータ４１４ａが設けられ、可動部４１０はスライド機構４１２ａ、４１２ｂなどを有する支持機構４１２によって支持され、可動部４１０は動力機構の動力によって移動するように構成される。この結果、暖房便座装置４００は、支持機構４１２を使用するから可動部４１０を座面に沿った姿勢で移動させることが容易になる。また、動力機構の強い力を使用することで可動部４１０を円滑に移動することができる。このような特徴は、同様の構成を有する他の実施形態の暖房便座装置にも備わっている。
【０１１７】
暖房便座装置７００の可動部７１０は、変形可能に形成される表面部７１０ｂを含み、便蓋３０には、便蓋３０を閉じるときに、表面部７１０ｂを便蓋３０から押し出すように変形させるための変形機構７１４が設けられる。この構成によれば、変形機構７１４によって、表面部７１０ｂが変形して便座２０に接近するから、これらの隙間を小さくするなど最適設計が可能になり、空気の対流による放熱を抑制することができる。このような特徴は、同様の構成を有する他の実施形態の暖房便座装置にも備わっている。
【０１１８】
暖房便座装置７００の表面部７１０ｂは、伸縮性を有するシート状の素材から形成されるから、便座２０との隙間が小さくなり、清潔性が改善される。このような特徴は、同様の構成を有する他の実施形態の暖房便座装置にも備わっている。
【０１１９】
暖房便座装置８００の変形機構８１４は、重力によって表面部８１０ｂを押し出すように動作する重力部材として球状の重り８１４ｂを含むから、高価な機構を使用せず安価に実現できる。このような特徴は、同様の構成を有する他の実施形態の暖房便座装置にも備わっている。
【０１２０】
暖房便座装置７００の可動部７１０の表面部７１０ｂは取り外し可能に取り付けられるから、表面部７１０ｂを取り外して洗濯などをすることができ、容易に清潔性を保つことができる。このような特徴は、同様の構成を有する他の実施形態の暖房便座装置にも備わっている。
【０１２１】
暖房便座装置１０００の変形機構１０１４は、表面部１０１０ｂを押し出すための複数の押出部材として押出部材１０１４ａ、１０１６ａを含むから、表面部１０１０ｂを複数箇所で変形することができ、表面部１０１０ｂと便座２０の隙間をさらに小さくできる。この結果、空気の対流による放熱の抑制効果が向上する。このような特徴は、同様の構成を有する他の実施形態の暖房便座装置にも備わっている。
【０１２２】
暖房便座装置１１００の変形機構１１１４は、押出部材１１１４ａと、押出部材１１１４ａの動作と連動するように結合される押出部材１１１６ａと、含むから、変形機構１１１４の重心を便蓋３０のヒンジ３６の近くに寄せることが可能になり、便蓋３０を開く際のトルクを小さくできる。
【０１２３】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【０１２４】
上述の説明では、可動部２１０、内蓋３１０ｃ、可動部４１０、可動部５１０及び可動部６１０が中孔部２６よりやや大きい形状を有する場合について説明したがこれに限られない。例えば、可動部２１０、内蓋３１０ｃ、可動部４１０、可動部５１０及び可動部６１０は、中孔部２６よりやや小さく形成されてもよい。
【０１２５】
暖房便座装置７００の説明では、便蓋３０を回転させることによって、レバー部材７１４ａが回転して可動部７１０を押出す場合について説明したがこれに限られない。例えば、変形機構７１４を回転させることによって、レバー部材７１４ａが可動部７１０を押出すと共に、便蓋３０を回転させるように構成してもよい。
【符号の説明】
【０１２６】
１０  可動部、  １２  ヒンジ、  ２０  便座、  ２２  発熱体、
２４  ヒンジ、  ２６  中孔部、  ２８  上面、  ２８ａ  暖房面、
３０  便蓋、  ３２  外装部、  ３４  縁部、  ３６  ヒンジ、
４０  便鉢部、  ４２  リム部、  ５０  使用者、  ５０ａ  背中、
９０  弾性部材、  １００  暖房便座装置、  １０２  空間、
１０４  空間、  １０６  空間、  １１０  可動部、  １１２  外部雰囲気、
２００  暖房便座装置、  ２１０  可動部、  ２１２  ヒンジ、
３００  暖房便座装置、  ３１０  可動部、  ３１０ｃ  内蓋、
３１２  ヒンジ、  ４００  暖房便座装置、  ４１０  可動部、
４１２  支持機構、  ４１２ａ  スライド機構、  ４１２ｂ  スライド機構、
４１４  変形機構、  ４１４ａ  ステッピングモータ、  ４１４ｂ  カム、
５００  暖房便座装置、  ５１０  可動部、  ５１０ｃ  内蓋、
５１２  支持機構、  ５１２ａ  蛇腹機構、  ５１４  変形機構、
５１４ａ  気体袋、  ５１４ｂ  ポンプ、  ６００  暖房便座装置、
６１０  可動部、  ６１０ｃ  内蓋、  ６１２  支持機構、
６１２ａ  エアシリンダ、  ６１４  変形機構、  ６１４ａ  ポンプ、
７００  暖房便座装置、  ７１０  可動部、  ７１０ｂ  表面部、
７１０ｃ  内蓋、  ７１４  変形機構、  ７１４ａ  レバー部材、
７１４ｂ  基部、  ７１４ｃ  ヒンジ、  ８００  暖房便座装置、
８１０  可動部、  ８１０ｂ  表面部、  ８１０ｃ  内蓋、
８１４  変形機構、  ８１４ａ  押出部材、  ８１４ｃ  ヒンジ、
８１４ｄ  他端、  ９００  暖房便座装置、  ９１０  可動部、
９１０ｃ  内蓋、  ９１４  変形機構、  ９１４ａ  押出部材、
９１４ｃ  ヒンジ、  ９３０  弾性体リング、
１０００  暖房便座装置、  １０１０  可動部、  １０１０ｂ  表面部、
１０１０ｃ  内蓋、  １０１４  変形機構、  １０１４ａ  押出部材、
１０１４ｃ  ヒンジ、  １０１６  変形機構、  １０１６ａ  押出部材、
１０１６ｂ  ヒンジ、  １１００  暖房便座装置、  １１１０  可動部、
１１１０ｃ  内蓋、  １１１４  変形機構、  １１１４ａ  押出部材、
１１１４ｃ  ヒンジ、  １１１６  変形機構、  １１１６ａ  押出部材、
１１１６ｃ  ヒンジ、  １３００  第１比較例、  １３０６  内部空間、
１３１０  内蓋、  １４００  第２比較例、  １４１０  内蓋、
１４１０ａ  突出部。
【図１】
2017060663.tif 000003
【図２】
2017060663.tif 000004
【図３】
2017060663.tif 000005
【図４】
2017060663.tif 000006
【図５】
2017060663.tif 000007
【図６】
2017060663.tif 000008
【図７】
2017060663.tif 000009
【図８】
2017060663.tif 000010
【図９】
2017060663.tif 000011
【図１０】
2017060663.tif 000012
【図１１】
2017060663.tif 000013
【図１２】
2017060663.tif 000014
【図１３】
2017060663.tif 000015
【図１４】
2017060663.tif 000016
【図１５】
2017060663.tif 000017
【図１６】
2017060663.tif 000018
【図１７】
2017060663.tif 000019
【図１８】
2017060663.tif 000020
【図１９】
2017060663.tif 000021
【図２０】
2017060663.tif 000022
【図２１】
2017060663.tif 000023
【図２２】
2017060663.tif 000024
【図２３】
2017060663.tif 000025
【図２４】
2017060663.tif 000026
【図２５】
2017060663.tif 000027
【図２６】
2017060663.tif 000028
【図２７】
2017060663.tif 000029
【図２８】
2017060663.tif 000030
【図２９】
2017060663.tif 000031
【図３０】
2017060663.tif 000032
【図３１】
2017060663.tif 000033
【図３２】
2017060663.tif 000034
【図３３】
2017060663.tif 000035
【図３４】
2017060663.tif 000036
【図３５】
2017060663.tif 000037